(57)【特許請求の範囲】
【請求項１】
貨幣を入金するための入金口と、
前記入金口から入金される貨幣を識別計数する識別部と、
釣銭準備金として利用する貨幣の出金処理を実行すると共に、売上金入金モード又は全入金モードのいずれかの入金モードで入金処理を実行して、前記売上金入金モードでは前記識別部によって得られた入金貨幣の合計金額を売上金の金額として、前記全入金モードでは出金済みの釣銭準備金の合計金額を前記入金貨幣の合計金額から減算して売上金の金額を算出する制御部と
を備え、
前記制御部は、予め設定されている判定条件に基づいて、前記売上金入金モードと前記全入金モードのいずれの入金モードで入金処理を行うかを判定し、判定結果に基づいて入金モードを切り替える
ことを特徴とする貨幣処理装置。
【請求項２】
前記制御部は、前記出金処理で出金された釣銭準備金に関する情報を管理して、
前記全入金モードでは、全入金モードで行われた最後の入金処理から今回の入金処理までの間に出金された釣銭準備金の合計金額を算出して、入金貨幣の合計金額から減算することを特徴とする請求項１に記載の貨幣処理装置。
【請求項３】
情報を表示する表示部
をさらに備え、
前記制御部は、前記売上金入金モード及び前記全入金モードのうちいずれの入金モードで入金処理を行うかを示す情報を前記表示部に表示する
ことを特徴とする請求項１又は２に記載の貨幣処理装置。
【請求項４】
前記判定条件は、入金処理実行時の日付が所定条件を満たすときに入金モードを所定の入金モードへ切り替える条件設定となっていることを特徴とする請求項１〜３のいずれか１項に記載の貨幣処理装置。
【請求項５】
前記判定条件は、貨幣の回収元となるキャッシュレジスタ毎に、所定条件を満たすときに入金モードを所定の入金モードへ切り替える条件設定となっていることを特徴とする請求項１〜４のいずれか１項に記載の貨幣処理装置。
【請求項６】
前記判定条件は、前記売上金入金モードで入金処理が連続して実行された回数が所定回数に達した場合に入金モードを前記全入金モードへ切り替える条件設定となっていることを特徴とする請求項１〜５のいずれか１項に記載の貨幣処理装置。
【請求項７】
前記判定条件は、前記識別部によって得られた入金貨幣の合計金額が、予め取得した売上金情報に基づく売上金金額を超えた場合に、入金モードを全入金モードへ切り替える条件設定となっていることを特徴とする請求項１〜６のいずれか１項に記載の貨幣処理装置。
【請求項８】
前記制御部は、
売上金情報を外部から取得して、
前記売上金情報に基づく売上金金額と、入金貨幣の合計金額に基づく売上金金額とを比較して、比較結果を報知する
ことを特徴とする請求項１〜７のいずれか１項に記載の貨幣処理装置。
【請求項９】
店舗で釣銭支払に利用する装置に対して出金された釣銭準備金を管理する貨幣処理装置であって、
前記装置から回収した売上金を入金するための入金口と、
前記入金口から入金される貨幣を識別計数する識別部と、
前記装置に対して出金された釣銭準備金の合計金額を管理すると共に、前記装置から回収した貨幣を入金する入金処理時に、入金貨幣が前記釣銭準備金を含むか否かを判定して、前記釣銭準備金を含んでいない場合には、前記識別部によって得られた前記入金貨幣の合計金額を、前記装置から回収された売上金金額として、前記釣銭準備金を含んでいる場合には、前記入金貨幣の合計金額から前記釣銭準備金の合計金額を減算して、前記装置から回収された売上金金額を算出する制御部と
を備えることを特徴とする貨幣処理装置。
【請求項１０】
前記制御部は、釣銭準備金を含む貨幣を入金する入金モードが指定されている場合、又は入金処理の実行日が、前記装置から売上金及び釣銭準備金を回収して入金するよう設定されている日である場合に、入金貨幣が釣銭準備金を含むと判定することを特徴とする請求項９に記載の貨幣処理装置。
【請求項１１】
貨幣処理装置が行う貨幣処理方法であって、
入金口から入金される貨幣を識別計数する識別工程と、
釣銭準備金として出金された貨幣を管理する管理工程と、
予め設定されている判定条件に基づいて、売上金入金モードと全入金モードのいずれの入金モードで入金処理を行うかを判定する判定工程と、
前記判定工程における判定結果に基づいて前記売上金入金モード又は前記全入金モードのいずれかの入金モードで入金処理を実行して、前記売上金入金モードでは前記識別工程で得られた入金貨幣の合計金額を売上金の金額として、前記全入金モードでは出金済みの釣銭準備金の合計金額を前記入金貨幣の合計金額から減算して売上金の金額を算出する売上金算出工程と
を含んだことを特徴とする貨幣処理方法。
【発明の詳細な説明】
【技術分野】
【０００１】
この発明は、釣銭金等の出金処理及び売上金等の入金処理を実行して管理する貨幣処理装置及び貨幣処理方法に関する。
【背景技術】
【０００２】
従来、百貨店やショッピングセンター等の大型店舗からスーパーマーケットまで様々な規模の小売店舗で貨幣処理装置が利用されている。これらの店舗では、貨幣処理装置を利用して、キャッシュレジスタで釣銭金として利用するための釣銭準備金の出金や、売上金の入金等を行っている。例えば、特許文献１には、店舗の営業が開始された後、当日出金された釣銭準備金の金額データを記憶しておいて、営業終了後に入金された貨幣（紙幣及び硬貨）の入金額データから釣銭準備金の金額データを減算して当日の売上金を算出する貨幣処理装置が開示されている。
【先行技術文献】
【特許文献】
【０００３】
【特許文献１】特開２００８−１９１８６１号公報
【発明の概要】
【発明が解決しようとする課題】
【０００４】
しかしながら、上記従来技術によれば、貨幣処理装置の利用に手間がかかる場合があった。例えば、営業終了後に各キャッシュレジスタから全ての貨幣を回収するのではなく、所定金額分の貨幣を残置する残置運用を行う店舗がある。翌日の営業に必要な釣銭準備金をキャッシュレジスタ内に残置する残置運用を行って、当日の売上金のみを回収する店舗でも、営業中に釣銭金が不足して貨幣処理装置から釣銭準備金が出金されると、営業終了後に回収された売上金の金額から釣銭準備金の金額が減算されて、算出結果が実際の売上金と合わなくなる。また、例えば、通常は残置運用を行いながら、週末や月末等の所定タイミングで、キャッシュレジスタから全ての貨幣を回収して確認する精査処理を行うと、精査日の翌日には、貨幣処理装置から釣銭準備金が出金されるため、営業終了後に回収された売上金の金額から釣銭準備金の金額が減算されて、算出結果が実際の売上金と合わなくなる。このため、貨幣処理装置で算出された売上金金額が実際の売上金の金額を示すものであるか否かを確認して、必要に応じて、算出された売上金金額を修正する必要があった。
【０００５】
本発明は、上述した従来技術による問題点を解消するためになされたもので、貨幣処理装置を利用する利用者の運用方法に応じて容易に貨幣処理を行うことができる貨幣処理装置及び貨幣処理方法を提供することを目的とする。
【課題を解決するための手段】
【０００６】
上述した課題を解決し、目的を達成するため、本発明は、貨幣処理装置であって、貨幣を入金するための入金口と、前記入金口から入金される貨幣を識別計数する識別部と、釣銭準備金として利用する貨幣の出金処理を実行すると共に、売上金入金モード又は全入金モードのいずれかの入金モードで入金処理を実行して、前記売上金入金モードでは前記識別部によって得られた入金貨幣の合計金額を売上金の金額として、前記全入金モードでは出金済みの釣銭準備金の合計金額を前記入金貨幣の合計金額から減算して売上金の金額を算出する制御部とを備え、前記制御部は、予め設定されている判定条件に基づいて、前記売上金入金モードと前記全入金モードのいずれの入金モードで入金処理を行うかを判定し、判定結果に基づいて入金モードを切り替えることを特徴とする。
【０００７】
また、本発明は、上記発明において、前記制御部は、前記出金処理で出金された釣銭準備金に関する情報を管理して、前記全入金モードでは、全入金モードで行われた最後の入金処理から今回の入金処理までの間に出金された釣銭準備金の合計金額を算出して、入金貨幣の合計金額から減算することを特徴とする。
【０００８】
また、本発明は、上記発明において、情報を表示する表示部をさらに備え、前記制御部は、前記売上金入金モード及び前記全入金モードのうちいずれの入金モードで入金処理を行うかを示す情報を前記表示部に表示することを特徴とする。
【００１０】
また、本発明は、上記発明において、前記判定条件は、入金処理実行時の日付が所定条件を満たすときに入金モードを所定の入金モードへ切り替える条件設定となっていることを特徴とする。
【００１１】
また、本発明は、上記発明において、前記判定条件は、貨幣の回収元となるキャッシュレジスタ毎に、所定条件を満たすときに入金モードを所定の入金モードへ切り替える条件設定となっていることを特徴とする。
【００１２】
また、本発明は、上記発明において、前記判定条件は、前記売上金入金モードで入金処理が連続して実行された回数が所定回数に達した場合に入金モードを前記全入金モードへ切り替える条件設定となっていることを特徴とする。
【００１３】
また、本発明は、上記発明において、前記判定条件は、前記識別部によって得られた入金貨幣の合計金額が、予め取得した売上金情報に基づく売上金金額を超えた場合に、入金モードを全入金モードへ切り替える条件設定となっていることを特徴とする。
【００１４】
また、本発明は、上記発明において、前記制御部は、売上金情報を外部から取得して、前記売上金情報に基づく売上金金額と、入金貨幣の合計金額に基づく売上金金額とを比較して、比較結果を報知することを特徴とする。
【００１５】
また、本発明は、店舗で釣銭支払に利用する装置に対して出金された釣銭準備金を管理する貨幣処理装置であって、前記装置から回収した売上金を入金するための入金口と、前記入金口から入金される貨幣を識別計数する識別部と、前記装置に対して出金された釣銭準備金の合計金額を管理すると共に、前記装置から回収した貨幣を入金する入金処理時に、入金貨幣が前記釣銭準備金を含むか否かを判定して、前記釣銭準備金を含んでいない場合には、前記識別部によって得られた前記入金貨幣の合計金額を、前記装置から回収された売上金金額として、前記釣銭準備金を含んでいる場合には、前記入金貨幣の合計金額から前記釣銭準備金の合計金額を減算して、前記装置から回収された売上金金額を算出する制御部とを備えることを特徴とする。
【００１６】
また、本発明は、上記発明において、前記制御部は、釣銭準備金を含む貨幣を入金する入金モードが指定されている場合、又は入金処理の実行日が、前記装置から売上金及び釣銭準備金を回収して入金するよう設定されている日である場合に、入金貨幣が釣銭準備金を含むと判定することを特徴とする。
【００１７】
また、本発明は、貨幣処理装置が行う貨幣処理方法であって、入金口から入金される貨幣を識別計数する識別工程と、釣銭準備金として出金された貨幣を管理する管理工程と、予め設定されている判定条件に基づいて、売上金入金モードと全入金モードのいずれの入金モードで入金処理を行うかを判定する判定工程と、前記判定工程における判定結果に基づいて前記売上金入金モード又は前記全入金モードのいずれかの入金モードで入金処理を実行して、前記売上金入金モードでは前記識別工程で得られた入金貨幣の合計金額を売上金の金額として、前記全入金モードでは出金済みの釣銭準備金の合計金額を前記入金貨幣の合計金額から減算して売上金の金額を算出する売上金算出工程とを含んだことを特徴とする。
【発明の効果】
【００１８】
本発明に係る貨幣処理装置では、２つの入金モードのうちいずれかの入金モードを選択して入金処理を実行することができる。例えば、翌日の営業に必要な釣銭準備金をキャッシュレジスタ内に残置する残置運用を行って売上金のみを回収する場合には、売上金入金モードを選択して入金処理を行って、先に貨幣処理装置から出金した釣銭準備金及び売上金の両方を回収する場合には、全入金モードを選択して入金処理を行うことにより、回収された売上金の金額を正確に算出することができる。これにより、利用者は、回収した貨幣を貨幣処理装置に入金して売上金の金額を確認する処理を容易に行うことができる。
【００１９】
また、本発明によれば、所定条件を満たす場合には所定の入金モードで入金処理を実行するように判定条件を設定することができる。これにより、例えば、通常は残置運用を行いながら、週１回又は月１回等の所定タイミングでキャッシュレジスタから売上金及び釣銭準備金の全てを回収して精査処理を実行する場合に、通常は売上金入金モードで入金処理を実行しながら、精査処理を実行する際には、入金モードを自動的に全入金モードに切り替えることができる。
【００２０】
また、本発明によれば、キャッシュレジスタ毎に、適切な入金モードで入金処理が実行されるように判定条件を設定することができる。これにより、例えば、店内のキャッシュレジスタからは売上金のみを回収して売上金入金モードで入金処理を実行して、屋外に設置された特設会場のキャッシュレジスタからは釣銭準備金及び売上金の両方を回収して全入金モードで入金処理を実行する場合に、入金処理の実行時には、キャッシュレジスタに応じた入金モードに切り替えることができる。
【図面の簡単な説明】
【００２１】
【図１】図１は、本実施形態に係る貨幣処理装置で行われる処理を説明するための模式図である。
【図２】図２は、貨幣処理装置の外観を示す斜視図である。
【図３】図３は、側方から見た紙幣処理部の内部構成概略を示す断面模式図である。
【図４】図４は、側方から見た硬貨処理部の内部構成概略を示す断面模式図である。
【図５】図５は、側方から見た棒金硬貨処理部の内部構成概略を示す断面模式図である。
【図６】図６は、貨幣処理装置の機能構成概略を示すブロック図である。
【図７】図７は、貨幣処理装置で行われる入金処理の具体例を示すフローチャートである。
【図８】図８は、入金モード判定切替処理の処理内容を示すフローチャートである。
【図９】図９は、判定条件の例を示す図である。
【図１０】図１０は、補充設定の例を示す図である。
【図１１】図１１は、補充処理の処理概要を説明する模式図である。
【図１２】図１２は、補充処理の処理内容を示すフローチャートである。
【発明を実施するための形態】
【００２２】
以下に、添付図面を参照して、本発明に係る貨幣処理装置及び貨幣処理方法について詳細に説明する。図１は、本実施形態に係る貨幣処理装置１で行われる処理を説明するための模式図である。貨幣処理装置１は、店舗内に設置され、店舗での取引時に利用するＰＯＳレジスタ（キャッシュレジスタ）２と共に利用される。ＰＯＳレジスタ２はＰＯＳサーバ３と通信可能に接続されている。店舗で顧客に対して商品やサービスを提供して、この代金として顧客から支払われた貨幣は、ＰＯＳレジスタ２に収納される。このとき、必要に応じてＰＯＳレジスタ２から取り出した貨幣が釣銭として顧客へ返される。なお、釣銭の収納及び出金については、ＰＯＳレジスタ２が備えるドロアを利用する態様に限定されるものではなく、内部に釣銭準備金を収納して取引時に釣銭金額分の貨幣を出金する自動釣銭機を利用する態様であっても構わない。
【００２３】
ＰＯＳサーバ３は、ＰＯＳレジスタ２で行われた処理に関する情報を該ＰＯＳレジスタ２から取得して管理する機能を有する。図１では、１台のＰＯＳレジスタ２のみを示しているが、本実施形態がこれに限定されるものではない。店舗内で複数台のＰＯＳレジスタ２を利用する場合も、各ＰＯＳレジスタ２からＰＯＳサーバ３へ情報が送信される。これにより、ＰＯＳサーバ３では、各ＰＯＳレジスタ２に収納されている売上金の金額を管理することができる。また、ＰＯＳサーバ３は、ネットワーク４を介して貨幣処理装置１と通信可能に接続されており、貨幣処理装置１は、各ＰＯＳレジスタ２に収納されている売上金の金額情報をＰＯＳサーバ３から取得できるようになっている。
【００２４】
貨幣処理装置１は、硬貨及び紙幣の入金処理及び出金処理を行う機能を有する。図１に示すように、ＰＯＳレジスタ２で釣銭として利用する釣銭準備金は、貨幣処理装置１から出金される。また、ＰＯＳレジスタ２から回収した貨幣は貨幣処理装置１へ入金される。ＰＯＳレジスタ２を担当するレジ係は、貨幣処理装置１から出金した貨幣をＰＯＳレジスタ２に収納して、釣銭として利用しながら顧客との取引を行う。そして、レジ係は、ＰＯＳレジスタ２から回収した貨幣を貨幣処理装置１へ入金する。
【００２５】
貨幣処理装置１は、入出金された貨幣を管理する機能を有する。具体的には、貨幣処理装置１は、各ＰＯＳレジスタ２を識別するための識別番号や、ＰＯＳレジスタ２を担当する各レジ係のＩＤ情報等の入力を求めて、ＰＯＳレジスタ２を特定してから入金処理及び出金処理を実行する。そして、貨幣処理装置１は、各ＰＯＳレジスタ２用に釣銭準備金として出金された貨幣の金種及び金額や、各ＰＯＳレジスタ２から回収して入金された貨幣の金種及び金額を管理する。
【００２６】
本実施形態に係る貨幣処理装置１は、ＰＯＳレジスタ２から回収して入金された貨幣が、売上金のみから成る貨幣であるのか、売上金及び釣銭準備金から成る貨幣であるのかに応じて、売上金の算出方法を変更することができる点に１つの特徴を有している。具体的には、貨幣処理装置１では、ＰＯＳレジスタ２から売上金のみを回収して入金する売上金入金モードと、売上金及び釣銭準備金を回収して入金する全入金モードとの２つの入金モードから、いずれかを選択して入金処理を行えるようになっている。
【００２７】
例えば、翌日の営業に必要な釣銭準備金をＰＯＳレジスタ２内に残置して、当日の売上金のみを回収する場合には、貨幣処理装置１で売上金入金モードを選択して入金処理を実行する。貨幣処理装置１は、選択された入金モードに基づいて、入金された貨幣の合計金額はＰＯＳレジスタ２から回収された売上金の金額であると認識して、売上金金額と、売上金金額に関する確認結果とを報知する。具体的には、入金金額を売上金金額として表示すると共に、外部から取得した、ＰＯＳレジスタ２から回収すべき売上金金額と入金金額とを比較して、両者が一致した場合には、回収された売上金に問題がないことを示す情報を報知する一方で、両者が一致しない場合には、利用者に売上金の確認を促す情報を報知する。
【００２８】
また、釣銭準備金としてＰＯＳレジスタ２に収納した貨幣、及び売上金としてＰＯＳレジスタ２に収納された貨幣の全貨幣をＰＯＳレジスタ２から回収する場合には、貨幣処理装置１で全入金モードを選択して入金処理を実行する。貨幣処理装置１は、選択された入金モードに基づいて、入金された貨幣の合計金額は、先に貨幣処理装置１から出金された釣銭準備金を含む金額であると認識して売上金の金額を算出する。具体的には、入金された貨幣の合計金額から、入金貨幣に含まれる釣銭準備金の金額を減算して、売上金金額を算出する。そして、売上金入金モードの場合と同様に、算出した売上金金額と、売上金金額に関する確認結果とを報知する。
【００２９】
このように、貨幣処理装置１では、店舗での運用や回収される貨幣に応じて入金モードを変更して売上金の金額を算出すると共に、売上金の金額に問題がないことを確認することができる。なお、貨幣処理装置１は表示部を備えており、表示部には、利用者が入金モードを確認できるように、入金処理実行時の入金モードを示す情報が表示されるようになっている。これにより、誤った入金モードで入金処理が行われることを防止している。
【００３０】
入金モードの切り替えは、手動操作によって入金モードを指定して行う態様の他、自動的に切り替えることも可能となっている。例えば、入金モードの初期設定を売上金入金モードにして、毎週水曜日と日曜日、毎月五十日というように、所定日にのみ入金モードを全入金モードに切り替えるように判定条件を設定する。これにより、貨幣処理装置１では、判定条件を満たす日には、入金モードが、初期設定の売上金入金モードから全入金モードに自動的に切り替えられ、この日を過ぎると再び初期設定の売上金入金モードへ戻される。また、例えば、初期設定を売上金入金モードとしながら、ある売り場のＰＯＳレジスタ２については水曜日に全入金モードに切り替えて、別の売り場のＰＯＳレジスタ２については日曜日に全入金モードに切り替えて、さらに別のＰＯＳレジスタ２では常に全入金モードに切り替えるというように、ＰＯＳレジスタ２毎に、入金モードを切り替えるための判定条件を設定することも可能となっている。これら入金モードの自動切替の詳細については後述する。
【００３１】
なお、貨幣処理装置１では、入金モードを自動的に切り替える場合も、利用者が入金モードを確認できるように、入金処理実行時の入金モードを示す情報が表示部に表示されるようになっている。この情報表示は、入金処理の実行時にのみ表示する態様の他、貨幣処理が実行されていないときを含め、常時表示させることもできる。また、入金処理以外の貨幣処理実行時に表示させることもできる。
【００３２】
例えば、全てのＰＯＳレジスタ２から売上金のみを回収する日には、売上金入金モードで入金処理を実行する日であることを示す情報を表示部に常時表示して、全てのＰＯＳレジスタ２から売上金及び釣銭準備金を回収する日には、全入金モードで入金処理を実行する日であることを示す情報を表示部に常時表示する。これにより、貨幣処理装置１の表示部を確認したレジ係は、当日の入金モード及び回収すべき貨幣を認識することができる。なお、表示部での情報表示は、文字で表示する態様であってもよいし、色によって示す態様であってもよい。例えば、売上金入金モードによる入金処理を行う日と、全入金モードによる入金処理を行う日とで、表示部の背景色を変更すれば、貨幣処理装置１から離れた位置からも当日の入金モードを認識することができる。
【００３３】
また、例えば、ＰＯＳレジスタ２を担当するレジ係が、出金処理や両替処理等、入金処理以外の処理で貨幣処理装置１を利用する際に、表示部の画面上に、このレジ係が担当するＰＯＳレジスタ２について、当日の入金処理を、売上金入金モード又は全入金モードのいずれの入金モードで行うべきであるかを示す情報を表示する。すなわち、レジ係が貨幣処理装置１を利用する際に、その日、レジ係が担当するＰＯＳレジスタ２から売上金のみを回収すればよいか、売上金及び釣銭準備金の両方を回収すべきであるかを示す情報が表示される。これにより、ＰＯＳレジスタ２から売上金のみを回収すればよいレジ係は貨幣処理装置１の利用時に表示部に表示された情報からこれを認識して、ＰＯＳレジスタ２から売上金及び釣銭準備金を回収する必要があるレジ係も貨幣処理装置１の利用時にこれを認識することができる。
【００３４】
貨幣処理装置１では、図１に示すように、貨幣処理装置１に貨幣を補充する補充処理が行われる。本実施形態に係る貨幣処理装置１は、補充処理時に、補充すべき各金種の貨幣量を自動的に決定すると共に、貨幣処理装置１に投入された貨幣の中から、補充処理に必要な貨幣を選別して、対応する収納部に収納しながら、補充処理に不要な貨幣は装置外へ排出することができる点に１つの特徴を有している。
【００３５】
具体的には、補充処理終了後の金種別の貨幣枚数を示す補充設定を予め設定しておいて、貨幣処理装置１で補充処理を開始すると、貨幣処理装置１内に収納されている各金種の貨幣量（在高）と、補充設定で設定されている補充処理完了後の金種別の貨幣量とに基づいて、補充する貨幣の金種及び貨幣量が自動的に決定される。貨幣処理装置１の利用者は、このとき決定された金種の貨幣を、決定された貨幣量ちょうどの量だけ準備する必要はなく、手元にある紙幣及び硬貨をランダムに選択して貨幣処理装置１に投入すると、貨幣処理装置１は、投入された紙幣及び硬貨を順に識別計数して、補充処理に必要な金種及び貨幣量の貨幣を補充して、補充処理に不要な金種の貨幣を装置外へリジェクトする。例えば、貨幣処理装置１に一万円札２０枚の補充が必要な状態で、投入した紙幣束に２５枚の一万円札と５枚の五千円札とが含まれていた場合には、２０枚の一万円札が装置内に補充され、余った５枚の一万円札と、５枚の五千円札とが装置外へリジェクトされる。
【００３６】
これにより、補充処理を担当する担当者は、貨幣処理装置１内に収納されている貨幣の金種や貨幣量を確認したり、補充処理時にどの金種の貨幣をどのくらいの量補充するかを検討したりする必要がない。また、貨幣処理装置１で、補充する貨幣の金種及び貨幣量が自動的に決定された後、担当者は、決定された金種及び貨幣量ちょうどの貨幣を準備する必要はなく、決定された金種及び貨幣量を目安として貨幣を投入するだけで貨幣の補充処理を完了することができる。これにより、補充処理を担当する担当者の負担を軽減することができる。
【００３７】
例えば、補充処理後に入出金される貨幣量を考慮して、平日用と休日用、午前用と午後用というように、貨幣処理装置１内に収納しておきたい各金種の貨幣量を指定した複数種類の補充設定を予め準備しておけば、補充処理開始が指示された日時に応じて補充設定が自動的に選択され、選択された補充設定と貨幣処理装置１内に収納されている各金種の貨幣量とに基づいて、補充処理に必要な金種別の貨幣量が自動的に算出される。これについての詳細は後述する。
【００３８】
次に、図２〜図６を参照しながら貨幣処理装置１の構成について説明する。図２は、貨幣処理装置１の外観を示す斜視図である。貨幣処理装置１は、紙幣処理部１００、硬貨処理部２００、棒金硬貨処理部３００、表示部１１、操作部１２及びプリンタ２０を含んで構成されている。
【００３９】
図３は、側方から見た紙幣処理部１００の内部構成概略を示す断面模式図である。紙幣処理部１００の筐体前面側上部には、入金する紙幣の投入及び出金する紙幣の排出を行う紙幣入出金口１２０が設けられている。紙幣入出金口１２０は、紙幣入金口及び紙幣出金口として機能する。紙幣入出金口１２０には、開閉可能なシャッタ機構１０１が設けられており、通常は、紙幣入出金口１２０がシャッタによって閉塞されている。紙幣を入出金する際には、シャッタ機構１０１によってシャッタが開いて紙幣入出金口１２０が開放され、紙幣を入出金できるようになっている。
【００４０】
まず、紙幣の入金処理について説明する。操作部１２を操作して入金処理を開始すると、シャッタ機構１０１によってシャッタが開かれ、紙幣入出金口１２０が開放される。入金する紙幣を紙幣入出金口１２０に投入すると、再びシャッタが閉じて、紙幣入出金口１２０に投入された紙幣が、紙幣繰出機構１２１によって、１枚ずつ紙幣搬送部１３０を構成する紙幣搬送路上に繰り出される。紙幣搬送路上に繰り出された紙幣は、時計回りに紙幣を搬送するループ状の紙幣搬送路を紙幣識別部１３１に向けて搬送される。紙幣搬送部１３０は、紙幣搬送路と、紙幣搬送路の複数箇所に設けられた分岐部材１３６とを含み、紙幣搬送路上を搬送する紙幣を分岐部材１３６によって分岐搬送路へ送ることにより、紙幣の搬送先を制御できるようになっている。
【００４１】
紙幣識別部１３１は、紙幣搬送部１３０によって搬送される紙幣の金種、正損、真偽等を識別して計数する機能を有する。紙幣識別部１３１を経て、ループ状の紙幣搬送路を時計回りに搬送される紙幣のうち、紙幣識別部１３１によって識別できない紙幣、正常な紙幣ではないと識別された紙幣、搬送異常（斜行、重送、連鎖等）が検出された紙幣等は、入金できないリジェクト紙幣として返却するため、装置前方へ向けて搬送され、入金紙幣リジェクト部１２４に集積される。一方、入金可能な正常紙幣は、紙幣一時保留部１４２に一時保留される。
【００４２】
紙幣入出金口１２０に投入された全ての紙幣を紙幣識別部１３１によって識別して、紙幣一時保留部１４２又は入金紙幣リジェクト部１２４に集積した後、表示部１１には、入金紙幣の識別計数結果が表示される。表示を確認した利用者が操作部１２により入金処理をキャンセルすると、紙幣一時保留部１４２に一時保留されていた紙幣が紙幣繰出機構１４３によって紙幣搬送路上へ繰り出されて紙幣入出金口１２０へ返却される。一方、利用者が入金処理を確定する操作を行うと、紙幣一時保留部１４２に一時保留されていた紙幣は、紙幣搬送路上へ繰り出されて、対応する金種別紙幣収納部１４０に収納される。例えば、金種別紙幣収納部１４０ａに一万円札を収納して、金種別紙幣収納部１４０ｂに五千円札を収納して、金種別紙幣収納部１４０ｃに千円札を収納する。
【００４３】
このとき、各金種別紙幣収納部１４０に割り当てられていない二千円札等の紙幣、金種別紙幣収納部１４０に割り当てられている金種の紙幣であるが出金処理に利用できない傷んだ紙幣（損券）等は、紙幣回収カセット１４４に収納される。紙幣回収カセット１４４は、装置前面の扉１０３を開いて装置外へ取り外せるように、装置に対して脱着可能に設けられており、金種別紙幣収納部１４０から回収する紙幣の収納にも利用することができる。具体的には、回収する紙幣を金種別紙幣収納部１４０から繰り出して、紙幣回収カセット１４４に収納した後、紙幣回収カセット１４４を装置から取り外して回収する。また、紙幣回収カセット１４４にも紙幣繰出機構１４５が設けられており、紙幣回収カセット１４４に補充用の紙幣を収納しておいて、補充用の紙幣を紙幣搬送路に繰り出して金種別紙幣収納部１４０に補充することも可能となっている。
【００４４】
次に紙幣の出金処理について説明する。表示部１１に表示される情報を確認しながら操作部１２を操作して出金処理を開始して、出金する紙幣の金種及び枚数を指定すると、指定された金種及び枚数の紙幣が、対応する金種別紙幣収納部１４０から１枚ずつ繰り出されて、ループ状の紙幣搬送路上を紙幣識別部１３１に向けて反時計回りに搬送される。紙幣の繰り出しは、各金種別紙幣収納部１４０に設けられている紙幣繰出機構１４１によって行われる。紙幣識別部１３１で金種等を識別された紙幣は、引き続き反時計回りに紙幣入出金口１２０へ向けて搬送される。そして、紙幣識別部１３１によって出金できないと判定された紙幣は、紙幣入出金口１２０へ搬送されることなく途中で分岐され、リジェクト紙幣として出金リジェクト部１２６に集積される。一方、出金可能と識別された紙幣は、紙幣入出金口１２０に集積される。全ての出金紙幣を紙幣入出金口１２０に集積し終えると、シャッタ機構１０１によってシャッタが開かれる。利用者が、紙幣入出金口１２０の全ての紙幣を抜き取ると、シャッタ機構１０１が再びシャッタを閉じて出金処理を完了する。
【００４５】
図４は、側方から見た硬貨処理部２００の内部構成概略を示す断面模式図である。図４に示すように、硬貨処理部２００は略直方体形状の筐体を有し、筐体上面には、硬貨を投入するための硬貨入金口２０１が設けられている。硬貨入金口２０１は、シャッタ機構及び供給ホッパ２１０を含み、通常は供給ホッパ２１０がシャッタにより閉塞された状態にあり、硬貨を入金する際には、シャッタが開いて、上面が開放された供給ホッパ２１０内に多数の硬貨を投入できるようになっている。
【００４６】
まず、硬貨の入金処理について説明する。入金処理を開始すると、硬貨入金口２０１のシャッタが開いて供給ホッパ２１０が開放される。硬貨入金口２０１から供給ホッパ２１０内に硬貨を投入した後、再び供給ホッパ２１０がシャッタによって閉塞され、供給ホッパ２１０内に投入された硬貨は硬貨繰出ホッパ２１１に送られる。硬貨繰出ホッパ２１１内の硬貨は、１枚ずつ硬貨搬送路に繰り出されて硬貨搬送部によって搬送される。硬貨搬送路には入金硬貨識別部２２０が設けられており、入金硬貨識別部２２０は、硬貨搬送部によって搬送される硬貨の金種、正損、真偽等を識別して計数する。入金硬貨識別部２２０の搬送方向下流側にある硬貨搬送路には、入金硬貨リジェクト部２０２、又は入金硬貨一時保留部２３０に各硬貨を落下させるためのシュートが設けられており、入金硬貨識別部２２０による識別結果に基づいて各硬貨が入金硬貨リジェクト部２０２又は入金硬貨一時保留部２３０に送られる。入金硬貨リジェクト部２０２に集積された硬貨は、硬貨処理部２００の筐体前面から取り出せるようになっている。なお、図４では、硬貨搬送部によって硬貨搬送路を搬送される硬貨を含め、硬貨の流れを、各部を接続する矢印で示している。
【００４７】
入金硬貨一時保留部２３０は７つの収納部に区分けされている。例えば、背面側から６つの収納部を、背面側から順に５００円硬貨、１０円硬貨、１００円硬貨、５０円硬貨、１円硬貨、５円硬貨の一時保留に利用して、一番手前にある収納部には金種は割り当てず任意の金種の硬貨を一時保留するために利用する。例えば、出金に利用できない硬貨を損貨として一番手前の収納部に一時保留して、出金に利用可能な硬貨はこの収納部より背面側にある６つの収納部に金種別に一時保留する。
【００４８】
入金硬貨一時保留部２３０は筐体内で装置の左右方向に略水平に移動可能に設けられており、中央位置では底面が閉塞されて内部に硬貨を一時保留するが、左又は右へ移動すると底面が開放され、一時保留されている硬貨が落下するようになっている。
【００４９】
図４では、硬貨の流れを説明するため、入金硬貨返却箱２０３と、任意硬貨収納部２４１及び金種別硬貨収納部２４０とを上下に並べて示しているが、実際には、入金硬貨一時保留部２３０の下方で、装置を利用する利用者から見て右側に入金硬貨返却箱２０３が配置され、左側に任意硬貨収納部２４１及び金種別硬貨収納部２４０が配置されている。入金硬貨一時保留部２３０が、左右いずれかの方向へ移動することにより、入金硬貨返却箱２０３と、任意硬貨収納部２４１及び金種別硬貨収納部２４０とのいずれかに選択的に一時保留硬貨を放出するようになっている。
【００５０】
硬貨入金口２０１に投入された全ての硬貨を入金硬貨識別部２２０によって識別して、入金硬貨一時保留部２３０又は入金硬貨リジェクト部２０２に集積した後、表示部１１には、入金硬貨の識別計数結果が表示される。表示を確認した利用者が操作部１２により入金処理をキャンセルする操作を行うと、入金硬貨一時保留部２３０が右側に移動して、入金硬貨一時保留部２３０の底面が開放され、一時保留されている全ての硬貨が入金硬貨返却箱２０３に収納される。入金硬貨返却箱２０３は硬貨処理部２００の筐体前面から引き出せるようになっており、入金硬貨返却箱２０３を引き出して、返却された硬貨を取り出せるようになっている。
【００５１】
一方、識別結果を確認した利用者が操作部１２で入金処理を確定する操作を行うと、入金硬貨一時保留部２３０が左側に移動して、入金硬貨一時保留部２３０の底面が開放され、一時保留されている全ての硬貨が、任意硬貨収納部２４１及び金種別硬貨収納部２４０に収納される。なお、金種別硬貨収納部２４０は、入金硬貨一時保留部２３０に対応して複数の収納部に区分けされており、入金硬貨一時保留部２３０に金種別に収納された硬貨がそのまま金種別硬貨収納部２４０に金種別に収納されるようになっている。
【００５２】
次に、硬貨の出金処理について説明する。出金処理時には、出金対象となる金種の硬貨が出金枚数分だけ、金種別硬貨収納部２４０から硬貨搬送路に１枚ずつ繰り出される。そして、硬貨搬送路に繰り出された硬貨は、出金硬貨識別部２５０により金種及び枚数の確認が行われた後、出金硬貨一時保留部２６０に一時保留される。出金対象となる全硬貨の一時保留を終えると、出金硬貨一時保留部２６０に一時保留されている全ての硬貨が硬貨出金箱２０４へ放出される。硬貨出金箱２０４は、その背面側に設けられている硬貨回収カセット２７０と共に筐体前面側から手前に引き出せるように構成されている。出金処理時には、硬貨出金箱２０４のみが露出するように装置手前側に引き出して出金硬貨を取り出すことができる。硬貨出金箱２０４は硬貨を出金する硬貨出金口として機能する。
【００５３】
硬貨回収カセット２７０は、出金処理がキャンセルされた場合に出金硬貨一時保留部２６０に一時保留されている硬貨を収納するために利用する。また、硬貨回収カセット２７０は、任意硬貨収納部２４１及び金種別硬貨収納部２４０からの硬貨の回収にも利用することができる。回収する硬貨を硬貨回収カセット２７０に収納した後、硬貨回収カセット２７０が装置外に露出した状態となるまで装置手前側に引き出す。硬貨回収カセット２７０は装置に対して脱着可能に設けられており、内部に硬貨を収納した硬貨回収カセット２７０を装置から取り外して運搬できるようになっている。
【００５４】
図５は、側方から見た棒金硬貨処理部３００の内部構成概略を示す断面模式図である。図５に示すように、棒金硬貨処理部３００の筐体内には、棒金を整列状態で収納するための複数の棒金収納トレイ３４０が設けられている。また、筐体前面側の上部には、シャッタ機構を有する棒金出金口３０１が設けられており、通常は、棒金出金口３０１がシャッタによって閉塞されている。棒金硬貨を出金する際には、シャッタが開いて、棒金出金口３０１から棒金硬貨を出金できるようになっている。
【００５５】
筐体背面には開閉扉３２１が設けられている。この開閉扉３２１を開いて棒金収納トレイ３４０を背面側へ引き出した状態で、各棒金収納トレイ３４０に棒金硬貨を金種別に収納する。棒金硬貨の長手方向が装置左右方向（図５の紙面奥行方向）となるようにして棒金硬貨を収納すると、収納された棒金硬貨は、下降傾斜した棒金収納トレイ３４０内を前方に移動して整列状態で収納される。棒金収納トレイ３４０の前端には、最前列の棒金硬貨の前面側を支える支え部３４１が形成されている。また、棒金収納トレイ３４０の前端２箇所に、図示しない開口部が設けられており、棒金搬送箱３５１に設けられた投出部材３５０がその開口部を通過しながら回転して棒金硬貨を取り出すが詳細は後述する。
【００５６】
棒金硬貨処理部３００には、棒金硬貨の孔の有無を検出する孔センサ３１１、棒金硬貨の径を測定する径センサ３１２、これらのセンサ３１１、３１２が配置された一対のセンサ基板３１３を含む棒金検知センサ３１０と、一対のセンサ基板３１３を支持すると共に装置前後方向に沿って移動させるセンサ移動部３６０とが設けられている。センサ移動部３６０は、棒金収納トレイ３４０の前端側及び後端側に配置された複数のプーリ３６１と、前後のプーリ３６１に掛け渡された無端状のベルト３６２とを含み、ベルト３６２を正逆方向に回転させて、棒金検知センサ３１０を棒金収納トレイ３４０に沿って前後に往復移動させる。棒金収納トレイ３４０を間に挟む形で対向配置されている棒金検知センサ３１０を往復移動させることにより、検査光を投受光するセンサ３１１、３１２によって棒金収納トレイ３４０内を走査して、棒金の孔の有無、硬貨径、及び棒金硬貨の本数を検出することができる。これにより、棒金硬貨処理部３００では、収納されている棒金硬貨の金種及び本数を管理できるようになっている。
【００５７】
図５に示すように、棒金収納トレイ３４０の前方側には、出金する棒金硬貨を搬送するための棒金搬送箱３５１と、棒金搬送箱３５１を上下方向に移動させるための棒金搬送箱移動部３３０とが設けられている。棒金搬送箱３５１の棒金収納トレイ３４０側（図５右側）に、反時計回りに回転駆動される投出部材３５０が設けられている。棒金搬送箱移動部３３０は、棒金搬送箱３５１の両側面（図５の紙面奥行方向両側面）に設けられた一対の無端状のベルト３３２と、各ベルト３３２が掛け渡された状態で上下方向に配置された一対のプーリ３３１とを含み、プーリ３３１を正逆方向に回転させることにより棒金搬送箱３５１を上下方向に移動させることができる。
【００５８】
棒金硬貨を出金する際には、操作部１２及び表示部１１を利用して、出金する棒金硬貨の金種及び本数を指定する。これにより、一番下の初期位置にある棒金搬送箱３５１が上方へ移動して、出金する金種の棒金硬貨が収納されている棒金収納トレイ３４０の前で停止する。そして、投出部材３５０を反時計回りに回転駆動することにより、最前列に位置する棒金硬貨をすくい上げて棒金搬送箱３５１内に収納する。出金すべき本数の棒金硬貨を棒金搬送箱３５１に収納すると、次の金種の棒金硬貨について同様の動作を繰り返す。こうして全ての金種について出金すべき棒金硬貨を棒金搬送箱３５１に収納した後、棒金搬送箱３５１は、図５破線で示す最上部の出金位置まで移動する。棒金搬送箱３５１が出金位置に到達すると、シャッタ機構によって棒金出金口３０１のシャッタが開き、棒金搬送箱３５１内から棒金硬貨を取り出し可能な状態となる。棒金搬送箱３５１から全ての棒金硬貨が取り出されると、シャッタ機構は再びシャッタを閉じて棒金出金口３０１を閉塞する。そして、棒金搬送箱３５１が最下部の初期位置へ移動して棒金硬貨の出金処理を完了する。
【００５９】
図６は、貨幣処理装置１の機能構成概略を示すブロック図である。貨幣処理装置１は、図２〜図５に示す表示部１１、操作部１２、プリンタ２０、紙幣処理部１００、硬貨処理部２００及び棒金硬貨処理部３００の他に、通信部３０と、記憶部４０と、これら各部を制御する制御部１０とを有している。
【００６０】
操作部１２はキーボード等から成り、貨幣処理に関する設定情報や指示情報等、各種情報を入力するために利用する。また、表示部１１は、液晶表示部等から成り、貨幣処理に関する各種情報を出力して表示するために利用する。プリンタ２０は、入金処理や出金処理等、貨幣処理装置１で行われた貨幣処理に関する情報を印字するために利用する。
【００６１】
通信部３０は、ＰＯＳサーバ３等の外部装置との間でデータを送受信する機能を有する。また、記憶部４０は半導体メモリやハードディスク等から成る不揮発性の記憶装置であり、制御部１０が各部を制御するために必要なプログラムや、入金処理に関する設定、補充処理に関する設定等、各種設定情報の保存に利用する。この他、記憶部４０には、出金処理に関する情報、入金処理に関する情報、レジ係の認証処理に必要な情報等、各種情報が保存されている。
【００６２】
次に、ＰＯＳレジスタ２から売上金のみを回収して入金する売上金入金モード、又はＰＯＳレジスタ２から売上金及び釣銭準備金を回収して入金する全入金モードを選択して行う入金処理の例を具体的に説明する。
【００６３】
貨幣処理装置１では、売上金入金モード又は全入金モードを、入金モードの初期設定として設定しておいて、手動操作による入金モードの切替操作を行って入金モードを切り替えることができる。また、貨幣処理装置１では、予め設定されている判定条件を判定した判定結果に基づいて、必要に応じて入金モードを自動的に切り替えることができる。以下では、売上金入金モードを初期設定として、入金処理中に行われる入金モードの切替動作について説明する。
【００６４】
図７は、貨幣処理装置１で行われる入金処理の具体例を示すフローチャートである。貨幣処理装置１が設置されている店舗で、ＰＯＳレジスタ２から貨幣を回収したレジ係は、表示部１１に表示された情報を確認しながら操作部１２を操作して入金処理を開始する。入金処理を開始すると、レジ係を認証する認証処理が実行される。貨幣処理装置１の制御部１０は、認証処理で得られた情報から、これから入金される貨幣がどのＰＯＳレジスタ２から回収されたものであるかを特定する（ステップＳ１）。記憶部４０には、予め、ＰＯＳレジスタ２のそれぞれを識別するためのレジ番号等の識別情報と、各ＰＯＳレジスタ２を担当するレジ係を識別するためのＩＤ情報とが関連付けて保存されている。制御部１０は、貨幣処理装置１で入金処理を行うレジ係の認証情報に基づいて、記憶部４０に保存されている情報を参照して、このレジ係が貨幣を回収してきた回収元のＰＯＳレジスタ２を特定する。
【００６５】
制御部１０は、ＰＯＳレジスタ２を特定した後、このＰＯＳレジスタ２から回収すべき売上金の金額情報を取得する（ステップＳ２）。具体的には、制御部１０は、通信部３０を介してＰＯＳサーバ３と通信を行い、先に特定したＰＯＳレジスタ２から回収すべき売上金の金額情報を取得して、売上金の金額を特定する。ただし、売上金情報の取得方法については、ＰＯＳサーバ３から取得する態様に限定されるものではなく、レジ係が操作部１２を操作して情報を入力することも可能となっている。具体的には、制御部１０が、レジ係に対して売上金の金額入力を要求する情報を表示部１１に表示して、レジ係が操作部１２を操作して金額を入力すると、これを売上金の金額とする。
【００６６】
次に、制御部１０は、入金モードに関する判定処理を行って、必要に応じて入金モードを切り替える入金モード判定切替処理を実行する（ステップＳ３）。図８は、入金モード判定切替処理の処理内容を示すフローチャートである。制御部１０は、予め記憶部４０に保存されている判定条件を読み出して、この判定条件に基づいて、入金モードを切り替える必要があるか否かを判定する（ステップＳ２１）。そして、制御部１０は、初期設定の売上金入金モードのまま入金処理を開始してよいと判定した場合には（ステップＳ２２；Ｎｏ）、入金モードを切り替えずに入金モード判定切替処理を終了する。一方、入金モードを売上金入金モードから全入金モードへ切り替える必要があると判定した場合には（ステップＳ２２；Ｙｅｓ）、入金モードを全入金モードに切り替えて（ステップＳ２３）、入金モード判定切替処理を終了する。
【００６７】
図９は、判定条件の例を示す図である。初期設定が売上金入金モードである場合に、入金モードを売上金入金モードから全入金モードへ切り替える条件を図９（ａ）に示すように設定する。
【００６８】
例えば、通常は初期設定に基づいて売上金入金モードで入金処理を行って、日曜日である場合や日付が５日である場合等、日付情報に基づいて入金モードを全入金モードに切り替えるように判定条件を設定する。
【００６９】
これにより、通常は、ＰＯＳレジスタ２内から売上金のみを回収して売上金入金モードで入金処理を行いながら、週１回又は月１回等の所定タイミングでＰＯＳレジスタ２内の全ての貨幣を回収して確認する精査処理を行う場合に、この所定タイミングに合わせて、自動的に入金モードを全入金モードに切り替えることができる。
【００７０】
また、例えば、前回全入金モードで入金処理を行った後、売上金入金モードで行った入金処理の回数が所定回数経過している場合、売上金入金モードで入金処理を行った日数が所定日数経過している場合等、所定タイミングで全入金モードの入金処理が行われるように判定条件を設定する。すなわち、最後に全入金モードによる入金処理を実行した後、売上金入金モードによる入金処理が連続して所定回数実行された場合、又は売上金入金モードによる入金処理が所定日数の間連続して実行された場合等に、全入金モードによる入金処理が実行されるように判定条件を設定する。
【００７１】
これにより、通常はＰＯＳレジスタ２内から売上金のみを回収して売上金入金モードで入金処理を行いながら、５回に１回又は５日に１回等の所定タイミングでＰＯＳレジスタ２内の全ての貨幣を回収して確認する精査処理を行う場合に、この所定タイミングに合わせて、自動的に入金モードを全入金モードに切り替えることができる。この他、入金処理で識別計数された貨幣の合計金額に基づいて入金モードを切り替えることもできるが、これについては後述する。
【００７２】
判定条件については、ＰＯＳレジスタ２によらず、店舗で行われる全ての入金処理に対して同じ判定条件を適用する他、レジ毎に異なる判定条件を設定することもできる。具体的には、例えば図９（ｂ）に示すように、レジ番号がＮｏ．１のＰＯＳレジスタ２については日曜日にのみ入金モードを全入金モードへ切り替える一方で、レジ番号がＮｏ．２のＰＯＳレジスタ２については水曜日及び日曜日に全入金モードへ切り替えて、レジ番号Ｎｏ．１０のＰＯＳレジスタ２については常に全入金モードへ切り替えるというように設定することができる。これにより、通常はＰＯＳレジスタ２内から売上金のみを回収して売上金入金モードで入金処理を行いながら、ＰＯＳレジスタ２内から釣銭準備金を含む全ての貨幣を回収して確認する精査処理を行う頻度を、ＰＯＳレジスタ２毎に変更することができる。例えば、釣銭金の受け渡しに誤りが生じやすい売り場のＰＯＳレジスタ２では、他の売り場のＰＯＳレジスタ２よりも、全ての貨幣を回収する頻度が高い設定とする。また、例えば、屋外に設置された特設会場で利用するＰＯＳレジスタ２については、常に全ての貨幣を回収する設定とする。
【００７３】
判定条件に関し、ＰＯＳレジスタ２によらず、初期設定として同じ入金モードを設定する他、レジ毎に異なる入金モードを初期設定とすることもできる。具体的には、例えば図９（ｃ）に示すように、レジ番号がＮｏ．１のＰＯＳレジスタ２については、初期設定を全入金モードとして判定条件を設定し、この判定条件を満たす土曜日にのみ入金モードを全入金モードから売上金入金モードへ切り替えるように設定する。一方、Ｎｏ．２のＰＯＳレジスタ２については、初期設定を売上金入金モードとして判定条件を設定し、この判定条件を満たす精査実行日にのみ入金モードを売上金入金モードから全入金モードへ切り替えるように設定する。なお、この場合、Ｎｏ．２のＰＯＳレジスタ２については、判定条件の中で精査実行日を指定する他、精査実行日を指定した精査日設定を別途準備しておいて、判定条件及び精査日設定に基づいて判定を行わせることも可能となっている。
【００７４】
このように、貨幣処理装置１では、入金モードの初期設定を設定すると共に、入金モードの切替要否を判定するための判定条件を設定して、判定結果に応じて、入金モードを自動的に切り替えることができる。
【００７５】
こうして、入金モード判定切替処理を実行して、必要に応じて入金モードを切り替えた後、制御部１０は、これから実行する入金処理の入金モードに関する情報を表示部１１に表示する（図７ステップＳ４）。具体的には、例えば、日付及び曜日と、レジ係のＩＤ情報と、ＰＯＳレジスタ２のレジ番号と、これから行う入金処理が売上金入金モード又は全入金モードのいずれの入金モードによって実行されるかを示す情報とを表示部１１に表示する。
【００７６】
表示部１１に表示された情報を確認したレジ係は、必要に応じて、入金モードを変更することができる。具体的には、例えば、予め設定されている初期設定によって自動的に設定された入金モード、又は判定条件に基づいて制御部１０によって自動的に切り替えられた入金モードを確認したレジ係が、入金モードを変更したい場合、操作部１２を操作して手動で入金モードを変更することができる。
【００７７】
入金モードを変更する操作が行われた場合には（ステップＳ５；Ｙｅｓ）、制御部１０は、この操作に従って入金モードを切り替える（ステップＳ６）。続いて、レジ係が、紙幣処理部１００及び硬貨処理部２００で、ＰＯＳレジスタ２から回収した貨幣の入金処理を開始すると、制御部１０は、入金された貨幣を識別計数する（ステップＳ７）。一方、レジ係が入金モードの切替操作を行わずに（ステップＳ５；Ｎｏ）、ＰＯＳレジスタ２から回収した貨幣の入金処理を開始すると、制御部１０は、入金モードを切り替えることなく、入金された貨幣を識別計数する（ステップＳ７）。識別計数された入金貨幣は、紙幣処理部１００及び硬貨処理部２００内で一時保留される。
【００７８】
ＰＯＳレジスタ２から回収された貨幣の識別計数処理を終えた後、入金処理が売上金入金モードで行われている場合には（ステップＳ８；Ｙｅｓ）、制御部１０は、再び、入金モード判定切替処理を実行する（ステップＳ９）。ここでは、図９（ａ）に示したように、入金金額がＰＯＳレジスタ２から回収されるべき売上金金額より多いか否かを判定する判定処理が行われる。
【００７９】
具体的には、制御部１０は、ＰＯＳレジスタ２から回収して入金された貨幣を識別計数して得られた合計金額と、外部から取得した、ＰＯＳレジスタ２から回収すべき売上金金額とを比較する（図８ステップＳ２１）。そして、入金貨幣の合計金額が、売上金金額より多い場合には、入金モードの切り替えが必要であると判定して（ステップＳ２２；Ｙｅｓ）、入金モードを売上金入金モードから全入金モードへ切り替えて（ステップＳ２３）、入金モード判定切替処理を終了する。一方、入金貨幣の合計金額が売上金金額以下であれば、入金モードの切り替えは不要であると判定して（ステップＳ２２；Ｎｏ）、入金モード判定切替処理を終了する。
【００８０】
ＰＯＳレジスタ２から売上金のみを回収して貨幣処理装置１へ入金する場合には、通常、入金金額が売上金金額を超えることはない。このため、制御部１０は、売上金入金モードで入金処理を実行しているにも拘わらず入金貨幣を識別計数した金額が売上金金額を超えている場合には、入金モードの選択に誤りがあり、ＰＯＳレジスタ２から売上金及び釣銭準備金が回収されたものと判定して入金モードを自動的に全入金モードに切り替える。これにより、例えば、初期設定や判定条件によれば売上金入金モードで入金処理が行われるところ、店舗やレジ係の都合によって、例外的にＰＯＳレジスタ２から全ての貨幣を回収して貨幣処理装置１に入金する処理が行われている場合でも、貨幣処理装置１が、入金貨幣の識別計数結果に基づいてこれを検知して、入金モードを自動的に全入金モードに切り替えることができる。
【００８１】
なお、入金貨幣の金額と売上金金額との比較については、１円単位で大小を比較する態様の他、許容幅を設定しておいて、入金金額がこの許容幅を超えて売上金金額より多い場合に、入金金額が売上金金額より多いと判定させることもできる。具体的には、例えば、売上金の１％というように売上金に基づく許容幅を指定する。また、例えば、紙幣の最低額金種である千円、紙幣の最高額金種である一万円というように所定金額分の許容幅を指定する。そして、入金金額が、指定した許容幅を売上金金額に加算した金額よりもさらに多い場合に、入金モードを全入金モードとするように設定することができる。
【００８２】
また、入金貨幣の金額に基づく判定により入金モードを売上金入金モードから全入金モードに切り替える際に、制御部１０が、レジ係に確認を求めることなく処理を進める態様の他、レジ係に承認操作を求める態様とすることもできる。具体的には、制御部１０が、入金金額と売上金金額の比較結果と、この比較結果に基づいて入金モードを全入金モードへ切り替えることを示す情報と、入金モードの切替の承認を求める情報とを表示部１１に表示して、レジ係が、操作部１２を操作して入金モードの切替を承認すれば入金モードを全入金モードに切り替えて、承認されなければ引き続き売上金入金モードのまま処理を進めるように設定することもできる。
【００８３】
入金金額に基づく入金モード判定切替処理を終えた後、入金モードが売上金入金モードである場合には（図７ステップＳ１０；Ｙｅｓ）、制御部１０は、入金された貨幣には釣銭準備金が含まれていないことを認識して、入金貨幣を識別計数して得られた合計金額をＰＯＳレジスタ２から回収された売上金の金額とする（ステップＳ１１）。
【００８４】
一方、入金モードが全入金モードである場合には（ステップＳ８；Ｎｏ又はステップＳ１０；Ｎｏ）、制御部１０は、入金された貨幣には釣銭準備金が含まれていることを認識する。そして、制御部１０は、入金貨幣を識別計数して得られた合計金額から売上金の金額を算出するために、ＰＯＳレジスタ２に補充するために貨幣処理装置１から出金済みの釣銭準備金の合計金額を算出する（ステップＳ１２）。
【００８５】
貨幣処理装置１では、貨幣処理装置１で行われた貨幣処理に関する情報が記憶部４０で管理されている。ＰＯＳレジスタ２で釣銭として利用するために出金された釣銭準備金の出金情報についても、出金された日時と、出金された釣銭準備金の金種及び金額とが、ＰＯＳレジスタ２毎に管理されている。なお、貨幣処理装置１では、入金処理についても、入金処理を行った日時と、入金モードと、入金された貨幣の金種及び金額とが、ＰＯＳレジスタ２毎に管理されている。
【００８６】
制御部１０は、記憶部４０で管理されているこれらの情報を参照して、入金された貨幣に含まれている釣銭準備金の合計金額を算出する。具体的には、制御部１０は、前回の全入金モードによる入金処理完了後から今回の全入金モードによる入金処理を開始するまでの間、すなわち最後に全入金モードで入金処理を行ってから今回の入金処理を開始する迄の間に出金された釣銭準備金の合計金額を算出する。
【００８７】
例えば、店舗の営業終了後、毎日、ＰＯＳレジスタ２から全ての貨幣を回収して全入金モードで入金処理を実行している場合には、制御部１０は、入金処理当日に行われた釣銭準備金の出金情報から釣銭準備金の合計金額を算出する。具体的には、入金処理当日に、ＰＯＳレジスタ２で利用する釣銭準備金の出金処理が複数回行われている場合には、各出金処理で出金された釣銭準備金の合計金額を算出する。
【００８８】
また、例えば、通常はＰＯＳレジスタ２から売上金のみを回収して売上金入金モードで入金処理を実行しながら、毎週日曜日の営業終了後にはＰＯＳレジスタ２から全ての貨幣を回収して全入金モードで入金処理を実行している場合には、制御部１０は、月曜日の営業開始から日曜日の営業終了後に入金処理を行う迄の間に出金された釣銭準備金の合計金額を算出する。
【００８９】
こうして、ＰＯＳレジスタ２用に出金された釣銭準備金の合計金額、すなわち入金された貨幣に含まれる釣銭準備金の合計金額を算出すると、続いて、制御部１０は、算出した釣銭準備金の合計金額を入金金額から減算して、ＰＯＳレジスタ２から回収された売上金の金額を算出する（ステップＳ１３）。
【００９０】
こうして、レジ係がＰＯＳレジスタ２から回収して貨幣処理装置１へ入金した売上金の金額を特定すると、続いて制御部１０は、入金された売上金の金額と、ステップＳ２で取得した、ＰＯＳレジスタ２から回収すべき売上金の金額とを比較する（ステップＳ１４）。そして、両者が一致すれば、制御部１０は入金処理の内容に問題はないとして（ステップＳ１４；Ｙｅｓ）、売上金金額を示す情報と入金処理を正常終了することを示す情報とを表示部１１に表示して、レジ係に入金処理を確定する操作を求める。レジ係が、表示部１１に表示された情報を確認して操作部１２を操作して入金処理を確定すると、制御部１０は、入金処理を確定して入金処理を正常終了する。具体的には、ステップＳ７で紙幣処理部１００の紙幣一時保留部１４２に一時保留されている紙幣を金種別紙幣収納部１４０に金種別に収納すると共に、硬貨処理部２００の入金硬貨一時保留部２３０に一時保留されている硬貨を金種別硬貨収納部２４０に収納して入金処理を終了する。
【００９１】
一方、ＰＯＳレジスタ２から回収して貨幣処理装置１に入金された売上金の金額と、ＰＯＳレジスタ２から回収すべき売上金の金額とが一致しない場合には、制御部１０は、回収すべき売上金が回収されておらず、売上金を確認する必要があると判定し（ステップＳ１４；Ｎｏ）、売上金金額を含む関連情報を表示部１１に表示して、レジ係に判定結果を報知する（ステップＳ１５）。報知を受けて、表示部１１に表示された情報を確認したレジ係が、入金処理をキャンセルした場合には、制御部１０は、紙幣処理部１００及び硬貨処理部２００に一時保留されている貨幣を返却して入金処理を終了する。
【００９２】
なお、貨幣処理装置１では、ＰＯＳレジスタ２から回収すべき売上金金額に対して不足している金額分の貨幣を、追加で入金することにより、入金処理を正常終了させることも可能となっている。具体的には、売上金に関する問題が報知された後、レジ係が、売上金金額に対して不足している金額分の貨幣を追加入金した場合には、制御部１０は、追加入金された貨幣を識別計数して装置内に一時保留する。そして、追加入金分の金額を、先に問題があるとした売上金金額に加算した結果、売上金の合計金額がＰＯＳレジスタ２から回収すべき売上金金額と一致した場合には、レジ係は、入金処理を確定する操作を行って、入金処理を正常終了させることができる。
【００９３】
また、貨幣処理装置１では、ＰＯＳレジスタ２から回収すべき売上金の金額に誤りがあった場合には、操作部１２を操作して売上金の金額を修正することにより、入金処理を正常終了させることも可能となっている。具体的には、売上金に関する問題が報知された後、レジ係が、売上金の入金金額を修正した場合には、制御部１０は、修正後の売上金金額を、入金された売上金の金額と比較する。そして、ＰＯＳレジスタ２から回収すべき売上金の金額を修正した結果、入金された売上金金額がＰＯＳレジスタ２から回収すべき売上金金額と一致した場合には、レジ係は、入金処理を確定する操作を行って、制御部１０が入金処理を正常終了させることができる。
【００９４】
このように、貨幣処理装置１では、ＰＯＳレジスタ２から売上金のみを回収して入金する売上金入金モード、及びＰＯＳレジスタ２から釣銭準備金及び売上金を回収して入金する全入金モードの２つの入金モードから、入金モードを選択して入金処理を実行することができる。また、貨幣処理装置１では入金モードを手動で切り替える他、店舗内での精査処理の実行条件等に応じて予め設定された判定条件に基づいて、入金モードを自動的に切り替えることも可能となっている。そして、貨幣処理装置１では、適切な入金モードを選択することにより、回収貨幣に釣銭準備金が含まれるか否かを判定して、ＰＯＳレジスタ２から回収された売上金の金額を正確に算出することができる。さらに、貨幣処理装置１では、算出した売上金が、ＰＯＳレジスタ２から回収すべき売上金の金額と一致するか否かを判定して、判定結果を報知することができる。これにより、ＰＯＳレジスタ２から貨幣を回収して貨幣処理装置１に入金する担当者の処理負担を軽減することができる。
【００９５】
次に、図１０〜図１２を参照しながら貨幣処理装置１で行われる補充処理について説明する。貨幣処理装置１では、釣銭準備金を出金する出金処理時に貨幣が不足しないように、装置内に貨幣を補充する補充処理が行われるが、貨幣処理装置１では入金処理も行われる。このため、貨幣の補充量が多すぎると、各ＰＯＳレジスタ２から回収した貨幣を入金できなくなる場合がある。一方、貨幣の補充量が少なすぎると、ＰＯＳレジスタ２で釣銭として利用するための釣銭準備金を出金できなくなる場合がある。このため、従来、補充処理を担当する担当者は、例えば、各金種の貨幣について、過去の釣銭準備金の出金状況や売上金の入金状況を確認したり当日の入出金処理の状況を確認したりしながら貨幣の補充量を決定して、この補充量分の各金種の貨幣を準備して補充する必要があり手間のかかる作業となっていた。本実施形態に係る貨幣処理装置１では、このような補充処理担当者の負担を軽減することができる。
【００９６】
貨幣処理装置１では、補充処理を完了した後の貨幣の収納状態を、補充設定として設定することができる。なお、硬貨処理部２００の補充処理は、紙幣処理部１００の補充処理と同様に行うことができるので以下では紙幣のみを例に補充処理について説明する。
【００９７】
図１０は、補充設定の例を示す図である。補充設定では、判定条件と、この判定条件を満たす場合に、補充処理完了後の各金種の貨幣枚数を何枚にするか（金額を幾らにするか）を設定できるようになっている。
【００９８】
例えば、ＰＯＳレジスタ２から売上金及び釣銭準備金の全てを毎日回収する店舗で、図１０に示すように、午前と午後とで別々に補充設定を作成する。全てのＰＯＳレジスタ２に対して釣銭準備金を出金する午前中は、釣銭準備金が不足することがないように、貨幣処理装置１内の貨幣量が多くなるように補充設定を設定する。また、釣銭準備金が不足したＰＯＳレジスタ２に対してのみ釣銭準備金を補充する出金処理が行われる一方で、全てのＰＯＳレジスタ２から貨幣が回収されて入金される午後には、貨幣処理装置１内が満杯になって、ＰＯＳレジスタ２から回収した貨幣を入金できない状態とならないように、午前中に比べて貨幣処理装置１内の貨幣量を減らし、多くの貨幣を入金できるように補充設定を設定する。
【００９９】
なお、図１０では午前又は午後とする例を示しているが、補充設定は、時刻に基づいて設定することができる。また、この他、曜日や日付に基づいて補充設定を設定することもできる。例えば、週末用、祝日用、特売日用というように、それぞれの釣銭準備金の出金状況及び売上金の入金状況に合わせて、複数種類の補充設定を予め準備しておく。これにより、補充処理の実行時に補充設定が自動選択され、選択された補充設定に基づいて貨幣を補充することができる。
【０１００】
図１１は、補充処理の処理概要を説明する模式図である。図１１では、金種別紙幣収納部１４０ａ〜１４０ｃに金種別に収納されている一万円札、五千円札、千円札を斜線で示している。図１１（ａ）は補充処理前の紙幣の収納状態を示し、同図（ｂ）は補充処理後の紙幣の収納状態を示している。
【０１０１】
例えば、補充処理が午前中に開始されると、図１０に示す補充設定に基づいて、図１１（ａ）に実線で示したように、各金種別紙幣収納部１４０ａ〜１４０ｃの補充処理完了後の収納枚数がそれぞれ１００枚、１５０枚、２００枚に設定される。貨幣処理装置１で補充処理を開始して、紙幣入出金口１２０に一万円札、五千円札及び千円札が混在する紙幣束５を投入すると、紙幣束５に含まれる紙幣が１枚ずつ装置内に繰り出されて識別され、識別結果に基づいて、対応する金種別紙幣収納部１４０ａ〜１４０ｃに補充される。このとき、補充に利用できない損券や二千円札等の補充対象外の紙幣は入金紙幣リジェクト部１２４にリジェクトされる。
【０１０２】
各紙幣を識別して識別結果に基づいて補充又はリジェクトする処理を繰り返して、図１１（ｂ）に示すように、金種別紙幣収納部１４０ａに１００枚の一万円札が収納された状態になると、これ以降、補充処理に不要となった一万円札は全てリジェクトされる。そして、各金種別紙幣収納部１４０ａ〜１４０ｃに、１００枚の一万円札、１５０枚の五千円札、２００枚の千円札が収納された状態になると、これ以降、全ての紙幣が入金紙幣リジェクト部１２４に排出される。この結果、紙幣入出金口１２０に投入された紙幣束５のうち必要な紙幣のみが補充処理に利用されて、補充処理完了後には、余った紙幣６が入金紙幣リジェクト部１２４へ排出された状態となる。
【０１０３】
なお、全ての金種別紙幣収納部１４０で紙幣の補充を終えた後の処理については、紙幣入出金口１２０に残っている余分な紙幣全てを、一旦装置内に繰り出して入金紙幣リジェクト部１２４へ排出する態様に限定されず、補充を終えた時点で補充処理を完了して、紙幣入出金口１２０に残っている余分な紙幣は、紙幣入出金口１２０から直接返却する態様であっても構わない。
【０１０４】
次に、補充処理の処理内容詳細を説明する。図１２は、補充処理の処理内容を示すフローチャートである。貨幣処理装置１の操作部１２を操作して補充処理を開始すると、制御部１０は、時刻や日付に基づいて、記憶部４０に保存されている複数の補充設定の中から補充処理に利用する補充設定を選択して、補充処理完了後の各金種別紙幣収納部１４０の紙幣収納枚数に関する情報を取得する（ステップＳ３１）。続いて、制御部１０は、各金種別紙幣収納部１４０に現在収納されている紙幣枚数の情報を取得して（ステップＳ３２）、これらの情報から、各金種別紙幣収納部１４０に補充する紙幣の枚数を算出する（ステップＳ３３）。具体的には、図１２に示すように、補充処理完了後の金種別紙幣収納部１４０の紙幣収納枚数（補充後枚数）から、補充処理前に金種別紙幣収納部１４０に収納されている紙幣の収納枚数（在高枚数）を減算して、各金種の紙幣の補充枚数を決定する。なお、補充処理を開始する前に、金種別紙幣収納部１４０の在高枚数が、補充設定で設定された補充後枚数以上である場合には、補充枚数は０（ゼロ）枚とされる。
【０１０５】
補充枚数を算出した制御部１０は、補充する紙幣の金種、枚数及び金額等の情報を表示部１１に表示する（ステップＳ３４）。補充処理を行う担当者は、表示部１１に表示された情報を確認して、これを目安として補充する紙幣を準備して、紙幣入出金口１２０に投入する。
【０１０６】
紙幣処理部１００では、紙幣入出金口１２０に投入された紙幣を１枚ずつ紙幣搬送路に繰り出して紙幣識別部１３１によって識別計数する（ステップＳ３５）。そして、紙幣が金種別紙幣収納部１４０へ補充すべき紙幣であれば（ステップＳ３６；Ｙｅｓ）、これを対応する金種別紙幣収納部１４０に補充する（ステップＳ３７）。一方、補充対象外金種の紙幣である場合、補充対象とする金種の紙幣であるが傷んでおり補充に適さない損券である場合、補充対象とする金種の紙幣であるがこの金種については既に必要な枚数の紙幣を補充済みである場合等、金種別紙幣収納部１４０への補充に利用しない紙幣である場合は（ステップＳ３６；Ｎｏ）、入金紙幣リジェクト部１２４にリジェクトする（ステップＳ３８）。
【０１０７】
こうして、補充処理に必要な紙幣を金種別紙幣収納部１４０に収納して、補充処理に不要な紙幣は入金紙幣リジェクト部１２４にリジェクトしながら、紙幣入出金口１２０に投入された紙幣の処理を継続して（ステップＳ３９；Ｎｏ）、紙幣入出金口１２０に投入された紙幣全ての処理を終えると（ステップＳ３９；Ｙｅｓ）、制御部１０は、各金種別紙幣収納部１４０の紙幣の収納状況を確認する。
【０１０８】
そして、各金種別紙幣収納部１４０に、補充設定で設定された枚数分の紙幣が収納されていれば（ステップＳ４０；Ｎｏ）、補充処理を終了する。一方、紙幣の補充が不十分で、収納されている紙幣枚数が、補充設定で設定された補充後枚数に対して不足している金種別紙幣収納部１４０がある場合には（ステップＳ４０；Ｙｅｓ）、制御部１０は、不足している紙幣の金種及び枚数を示す情報を表示部１１に表示する（ステップＳ４１）。
【０１０９】
表示部１１に表示された情報を確認して、不足している紙幣の金種及び枚数を認識した補充処理担当者が、紙幣入出金口１２０に追加の補充用紙幣を投入すると（ステップＳ４２；Ｙｅｓ）、貨幣処理装置１では、再び、投入された紙幣を順に識別計数して、補充処理に必要な紙幣は対応する金種別紙幣収納部１４０に収納しながら補充処理に不要な紙幣は入金紙幣リジェクト部１２４にリジェクトする処理が実行される（ステップＳ３４〜３９）。そして、金種別紙幣収納部１４０に補充すべき紙幣全ての補充を終えると（ステップＳ４０；Ｎｏ）、補充処理を終了する。
【０１１０】
なお、表示部１１に表示された情報から（ステップＳ４１）、不足している紙幣の金種及び枚数を認識した補充処理担当者が、補充紙幣の不足を許容して補充処理を終了すると判断し、操作部１２を操作して補充処理の終了を指示すると（ステップＳ４２；Ｎｏ）、制御部１０は補充処理を終了する。
【０１１１】
このように、貨幣処理装置１では、補充処理を開始すると、予め準備しておいた補充設定に基づいて、複数収納部のそれぞれに補充する貨幣枚数が自動的に決定される。また、貨幣処理装置１に補充用の貨幣を投入すると、投入された貨幣の中から必要な金種及び枚数の貨幣が各収納部に補充されて、不要な貨幣は装置外にリジェクトされる。これにより、補充する貨幣量を金種毎に検討したり、決定した金種及び貨幣量ちょうどの貨幣を準備したりする必要がないので、補充処理担当者の処理負担を軽減することができる。
【０１１２】
なお、本実施形態では、釣銭準備金の出金、売上金の入金、売上金金額の算出等の処理を貨幣処理装置１で実行する態様を示したが、装置構成がこれに限定されるものではない。上述した各処理を実現可能であれば装置の数は特に限定されず、複数装置から貨幣処理システムを構成する態様であっても構わない。例えば、釣銭準備金や売上金に関する管理は貨幣処理装置１から独立した管理端末等の上位装置で行う態様であってもよい。また、例えば、釣銭準備金を出金する出金装置と、売上金を入金する入金装置とを独立して設ける態様であっても構わない。
【０１１３】
上述してきたように、本実施形態に係る貨幣処理装置１によれば、店舗内に設置されたＰＯＳレジスタ２から売上金のみを回収して貨幣処理装置１に入金する場合には売上金入金モードで入金処理を行って、売上金及び釣銭準備金を回収して入金する場合には全入金モードで入金処理を行うことにより、ＰＯＳレジスタ２から回収された売上金の金額を正確に算出することができる。また、貨幣処理装置１では、入金された売上金の金額を、外部から取得した、ＰＯＳレジスタ２から回収すべき売上金と比較して、比較結果を報知することができる。
【０１１４】
また、入金モードの切り替えは、手動操作により入金モードを指定して行う他、店舗で予め設定された所定タイミングと一致する場合に、入金モードを自動的に切り替えるように判定条件を設定することができる。これにより、常に売上金入金モード又は全入金モードで貨幣処理装置１を利用する他、店舗での運用に応じて判定条件を満たす場合にのみ入金モードを自動的に切り替えることができる。
【０１１５】
例えば、通常はＰＯＳレジスタ２内に釣銭準備金を残置して売上金のみを回収して売上金入金モードで入金処理を行う店舗で、週１回、月１回等の所定タイミングでＰＯＳレジスタ２から全ての貨幣を回収して精査処理を行う場合には、判定条件を設定することにより、精査処理が実行される場合にのみ、貨幣処理装置１の入金モードを自動的に全入金モードに切り替えさせることができる。また、これとは逆に、例えば、通常はＰＯＳレジスタ２から全ての貨幣を回収して全入金モードで入金処理を行う店舗で、週１回、月１回等の所定タイミングで、翌日の営業に必要な釣銭準備金をＰＯＳレジスタ２内に残置したい場合には、判定条件を設定することにより、釣銭準備金を残置する場合にのみ、貨幣処理装置１の入金モードを自動的に売上金入金モードに切り替えさせることができる。
【０１１６】
また、入金モードの初期設定及び判定条件をＰＯＳレジスタ２毎に設定することができるので、例えば、売り場毎に貨幣の回収方法を変更したり、ＰＯＳレジスタ２を担当するレジ係毎に貨幣の回収方法を変更したりする場合でも、これに合わせて入金モードを自動的に切り替えさせることができる。これにより、入金モードの選択操作を不要としてレジ係の処理負担を軽減すると共に、レジ係による入金モードの選択に係る誤りを防止することができる。
【０１１７】
また、本実施形態に係る貨幣処理装置１によれば、補充処理完了後の貨幣の収納状態を予め補充設定として設定しておくことにより、補充処理開始時の貨幣の収納状態に応じて、貨幣処理装置１に補充すべき貨幣の金種及び枚数が自動的に算出される。補充設定を時刻や日付と関連付けて複数種類準備しておくことにより、補充処理開始時に、対応する補充設定が自動的に選択されるので、補充処理が実行される日時に応じて、補充処理後の装置内の貨幣の収納状態を異なる状態とすることができる。また、貨幣処理装置１に金種混合で適当な量の貨幣を投入すれば、補充処理に必要な金種及び枚数の貨幣が補充され、補充処理に不要な貨幣は装置外にリジェクトされる。これにより、補充処理を担当する担当者の処理負担を軽減して容易に補充処理を行うことができる。
【産業上の利用可能性】
【０１１８】
以上のように、本発明に係る貨幣処理装置及び貨幣処理方法は、利用者の運用方法に応じて効率よく容易に貨幣処理を行うために有用である。
【符号の説明】
【０１１９】
１  貨幣処理装置
２  ＰＯＳレジスタ
３  ＰＯＳサーバ
４  ネットワーク
１０  制御部
１１  表示部
１２  操作部
２０  プリンタ
３０  通信部
４０  記憶部
１００  紙幣処理部
１２０  紙幣入出金口
１２４  入金紙幣リジェクト部
１２６  出金リジェクト部
１３０  紙幣搬送部
１３１  紙幣識別部
１４０、１４０ａ〜１４０ｃ  金種別紙幣収納部
１４２  紙幣一時保留部
１４４  紙幣回収カセット
２００  硬貨処理部
２０１  硬貨入金口
２０２  入金硬貨リジェクト部
２０４  硬貨出金箱
２２０  入金硬貨識別部
２３０  入金硬貨一時保留部
２４０  金種別硬貨収納部
２５０  出金硬貨識別部
２６０  出金硬貨一時保留部
２７０  硬貨回収カセット
３００  棒金硬貨処理部
【図１】
0006630076.tif 000002
【図２】
0006630076.tif 000003
【図３】
0006630076.tif 000004
【図４】
0006630076.tif 000005
【図５】
0006630076.tif 000006
【図６】
0006630076.tif 000007
【図７】
0006630076.tif 000008
【図８】
0006630076.tif 000009
【図９】
0006630076.tif 000010
【図１０】
0006630076.tif 000011
【図１１】
0006630076.tif 000012
【図１２】
0006630076.tif 000013